(57)【要約】【課題】前カバーを取り外して行われる写真フイルムの詰め替え作業の能率を低下させる。【解決手段】撮影レンズ２が嵌め込まれる鏡筒部１５には、その内面に階段部３５が設けられている。撮影レンズ２は鏡筒部１５に嵌め込まれる際に脚部３６が階段部３５の同じ高さの面に係合して位置決めされる。前カバー１４には、レンズ押さえ３９、引っ掛け爪４０が設けられている。前カバー１４が取り付けられる際、撮影レンズの２の前面がレンズ押さえ３９によって押さえられ、引っ掛け爪４０が切欠き４１から撮影レンズ２の背後に入り込む。前カバー１４を取り外すと撮影レンズ２が鏡筒部１５から脱落し、前カバーを取り外してフイルム詰め替え作業を行う第三者に対し、撮影レンズ２を付け直す手間をかけさせることができる。【選択図】        図３
2004184849.tif 000002
【特許請求の範囲】
【請求項１】
撮影レンズが取り付けられる鏡筒部を有するユニット本体と、ユニット本体の背面に装着される裏蓋とによって写真フイルムが光密に収納され、撮影レンズを露呈させるレンズ開口を有するとともにユニット本体を前面から覆う前カバーを備え、
前記前カバーの内面に、撮影レンズの背後に入り込み、前カバーの取り外し時に撮影レンズを鏡筒部から脱落させる係合部材を一体形成し、
前記鏡筒部の内面もしくは撮影レンズの外面のいずれか一方には、光軸方向の高さが異なり、光軸を中心とする円周方向に段差が形成された階段部を少なくとも３組設けるとともに、他方には前記階段部に係合する突起部を設け、
前記撮影レンズは、階段部を介して少なくとも３点で後方から支えられるとともにレンズ開口の周囲で前方から押さえられることで鏡筒部内に保持されていることを特徴とするレンズ付きフイルムユニット。
【請求項２】
前記撮影レンズは、前記階段部上で光軸を中心とする円周方向の動きが規制されることを特徴とする請求項１記載のレンズ付きフイルムユニット。
【請求項３】
前記ユニット本体に前カバーが組み付けられた状態では、前記係合部材が撮影レンズ背面から隙間をつくる位置にあることを特徴とする請求項１又は２記載のレンズ付きフイルムユニット。
【発明の詳細な説明】
【０００１】
【発明の属する技術分野】
本発明は、光軸方向に撮影レンズの組み込み位置が変わるレンズ付きフイルムユニットに関するものである。
【０００２】
【従来の技術】
予め未露光の写真フイルムが装填され、購入したその場で写真撮影が可能な１回使い切りタイプのレンズ付きフイルユニットが知られている。レンズ付きフイルムユニットは、製造コストが抑えられるとともに、持ち運びに便利な軽量さが得られるように、その大部分がプラスチックの成形品で構成されている。レンズ付きフイルムユニットは、写真フイルムを全て使い切った後、現像所などにそのまま持ち込めばフイルムの現像とプリントを依頼することができる。ユーザーには、ネガフイルムとプリント写真のみが渡され、写真フイルムの取り出された使用済みのレンズ付きフイルムユニットは現像所で引き取られる。
【０００３】
引き取られた使用済みのレンズ付きフイルムユニットは、製造元のメーカーに回収され、分解された後に検査や修理等が行われる。分解作業では、外装の前カバーから取り外され、次に露光機構が設けられた本体から、裏蓋、レンズ、ストロボ装置などが取り外される。プラスチックのみで構成される前カバーや裏蓋は、ペレット化されて成形し直される。他の部品は、検査工程や修理工程を経て、性能に問題のないものが新規製品の一部として再使用されている。
【０００４】
近年、製造元と異なる業者により、使用済みのレンズ付きフイルムユニットが回収され、未使用の写真フイルムを再装填したフイルム詰め替え品が販売されている。このフイルム詰め替え品は、レンズ付きフイルムユニットの裏蓋をこじ開けて、新たに写真フイルムを装填しただけのものであり、製造元から供給される新規製品の流通価格よりも極端に低い価格で販売されるため、新規製品の流通が妨げられている。
【０００５】
そこで、フイルム詰め替え品の流通対策として、フイルム詰め替え時にこじ開けられる裏蓋を、超音波溶着などにより強固に接合する工夫がなされている。溶着を行うことで裏蓋を安易にこじ開けようとすると裏蓋が部分的に変形したり破損しやすくなる。これにより、フイルム詰め替え業者に慎重な作業を強いることができ、フイルム詰め替え品の製造能率を低下させることができる。
【０００６】
【発明が解決しようとする課題】
しかしながら、近年におけるフイルム詰め替え品の製造過程では、裏蓋が直接こじ開けられることは少なくなり、製造元で行われる分解作業と同様に、最初に前カバーの取り外しを行っている。前カバーは裏蓋に比べて溶着部分が少なく、比較的容易に取り外すことができ、前カバーを取り外した後に本体部分と裏蓋との接合部分を内側から削り取ることで裏蓋を開放させている。このため、裏蓋を溶着する効果が薄れて、裏蓋を直接こじ開けるよりも破損や変形が少なく、能率をそれほど落とすことなくフイルム詰め替え品が製造されているという問題がある。
【０００７】
本発明は、上記問題点を考慮してなされたもので、前カバーの取り外しを伴うフイルム詰め替え品の製造能率を低下させることができるレンズ付きフイルムユニットを提供することを目的とする。
【０００８】
【課題を解決するための手段】
上記目的を達成するために、本発明のレンズ付きフイルムユニットは、撮影レンズが取り付けられる鏡筒部を有するユニット本体と、ユニット本体の背面に装着される裏蓋とによって写真フイルムが光密に収納され、撮影レンズを露呈させるレンズ開口を有するとともにユニット本体を前面から覆う前カバーを備えている。前カバーの内面には、撮影レンズの背後に入り込み、前カバーの取り外し時に撮影レンズを鏡筒部から脱落させる係合部材を一体形成する。前記鏡筒部の内面もしくは撮影レンズの外面のいずれか一方に、光軸方向の高さが異なり、光軸を中心とする円周方向に段差が形成された階段部を少なくとも３組設けるとともに、他方には階段部とそれぞれ係合する突起部を設けている。階段部によって撮影レンズを後方から少なくとも３点で支え、前カバーによって前方から撮影レンズの前面を押さえることで鏡筒部に撮影レンズを保持させ、前カバーの取り外しと同時に撮影レンズの押さえを取り去るものである。
【０００９】
請求項２記載のレンズ付きフイルムユニットは、階段部上で撮影レンズが光軸を中心とする円周方向に不用意に動かないようにし、撮影レンズが段差面から滑り落ちることを防ぐものである。請求項３記載のレンズ付きフイルムユニットでは、レンズ開口の付近など前カバーに外力が加わったとき、撮影レンズが係合部材と接触することによって位置ズレなどが起きないようにしている。
【００１０】
【発明の実施の形態】
図１において、レンズ付きフイルムユニット１は、その前面に撮影レンズ２が露呈されており、ファインダ３、ストロボ発光部４が設けられている。上面には、シャッタボタン５、カウンタ窓６が設けられている。スライドつまみ７はストロボ撮影を行う際に操作される。
【００１１】
図２において、レンズ付きフイルムユニット１は、ユニット本体１０と、写真フイルム１１、裏蓋１２、ストロボ装置１３、前カバー１４とから構成されている。ユニット本体１０には、その中央に撮影レンズ２を保持する鏡筒部１５が設けられている。また、図示はしないが、鏡筒部１５の背後にシャッタ羽根と暗箱部が設けられている。ユニット本体１０の両側には、カートリッジ室１６とフイルム室１７がそれぞれ設けられている。
【００１２】
カートリッジ室１６にはフイルムカートリッジ１８が収納され、フイルム室１７にはフイルムカートリッジ１８から引き出された写真フイルム１１がロール形態で収納される。フイルムカートリッジ１８には、写真フイルム１１の一端が係止されたスプール１９が設けられている。スプール１９は、巻上げノブ２０の下端と係合し、巻上げノブ２０の回転操作に伴って写真フイルム１１をフイルムカートリッジ１８内に巻き取る。
【００１３】
裏蓋１２は、ユニット本体１０の背面に装着される。裏蓋１２に設けられた底蓋部１２ａ，１２ｂは、カートリッジ室１６とフイルム室１７の底部を覆う。底蓋部１２ａは、フイルムカートリッジ１８の取り出し時に開放される。写真フイルム１１は、ユニット本体１０と裏蓋１２とによって光密に収納される。
【００１４】
ストロボ装置１３は、ユニット本体１０に保持されるストロボ基板２２上に、ストロボ回路を構成する各種回路部品が取り付けられている。充電スイッチ２３は、スライドつまみ７の操作によってオンされる。充電スイッチ２３がオンすると、メインコンデンサ２４に高圧充電が行われる。充電が完了した後にシャッタボタン６を操作すると、シャッタ羽根の開放に同期してシンクロスイッチ２５がオンして、ストロボ発光部４からストロボ光が照射される。
【００１５】
前カバー１４は、ユニット本体１０と、ユニット本体１０に保持されたストロボ基板２２を前面側から覆う。前カバー１４には、撮影レンズ２が露呈されるレンズ開口２６が形成されている。また、ファインダ３やストロボ発光部４が露呈される開口が形成されている。
【００１６】
図３において、鏡筒部１５は円筒形状をしており、円形の撮影レンズ２が嵌め込まれる。鏡筒部１５は、その内部に絞り開口３０が形成された台座面３１を有する。台座面３１上には、低段面３２，中段面３３，高段面３４をそれぞれ有する３組の階段部３５が一体に設けられている。階段部３５は、絞り開口３０と同心の円周上で１２０度ごとに均等に設けられている。低段面３２，中段面３３、高段面３４は、撮影レンズ２の光軸Ａ１と平行な方向にそれぞれの高さが異なり、各段差が光軸Ａ１を中心とする円周方向に沿って形成されている。
【００１７】
撮影レンズ２には、後方に突出した脚部３６が設けられている。脚部３６は階段部３５と同じピッチで３個設けられており、脚部３６の先端が階段部３５の同じ高さの段面に当接する。脚部３６の長さは底面である台座面３１から頂面である高段部３４までの高低差と等しくなるように形成されている。
【００１８】
撮影レンズ２の前面は曲面部３７と、曲面部３７の周囲に鍔状に形成された平面部３８とからなる。平面部３８には前カバー１４に形成されたレンズ押さえ３９が当接する。レンズ押さえ３９はレンズ開口２６の周囲から後方に突出しており、平面部３８を押さえて撮影レンズ２を鏡筒部１５に保持させる。また、前カバー１４には引っ掛け爪４０が形成され、鏡筒部１５に形成された切欠き４１から、爪先端部４０ａが撮影レンズ２の背後に入り込む。
【００１９】
図４において、低段面３２，中段面３３，高段面３４上には、光軸Ａ１に対する放射方向に三角溝４２がそれぞれ形成されている。脚部３６の先端には、三角溝４２に嵌合する三角リブ４３が形成されている。三角溝４２と三角リブ４３を嵌合させることで、撮影レンズ２が光軸Ａ１を中心とする回転力を受けても不用意に動かず、脚部３６が低い方の段面に落下することがない。
【００２０】
図５において、レンズ付きフイルムユニット１の製造時には、撮影レンズ２を鏡筒部１５に嵌め込んだ後、ユニット本体１０に前カバー１４が装着される。撮影レンズ２を鏡筒部１５に嵌め込む際には、脚部３６を階段部３５の所定の段面の上に乗せて位置決めし、三角溝４２に三角リブ４３を嵌め込む。
【００２１】
脚部３６が位置決めされる段面は、撮影レンズ２の焦点距離に対する絞り開口３０の径の大きさ（Ｆ値）や、撮影レンズ２からフイルム面までの距離など、光学設計上の都合によって予め決められている。例えば、脚部３６を低段面３２上に取り付けて適正な撮影性能が得られるように設計されている場合、脚部３６を台座面３１や中段面３３、高段面３４上に取り付けるとピントが合わず、鮮明な撮影画像を得ることができなくなる。
【００２２】
鏡筒部１５に撮影レンズ２を嵌め込んだ後は、ユニット本体１０に前カバー１４が装着される。このとき、引っ掛け爪４０は、爪先端部４０ａが撮影レンズ２の縁に当たって変形しながら撮影レンズ２の背後に回りこむ。レンズ押さえ３９が平面部３８に達すると、撮影レンズ２の背面と爪先端部４０ａとの間には隙間ができる。撮影レンズ２は階段部３５によって後方から３点で支持された状態で、レンズ押さえ３９によって前方から押さえられ、鏡筒部１５内に保持される。ユニット本体１０と前カバー１４とによって鏡筒部１５内に保持された撮影レンズ２は、階段部３５の段差に応じて台座面３１から一定の高さの位置で固定される。
【００２３】
レンズ付きフイルムユニット１から前カバー１４を取り外す際には、レンズ押さえ３９が平面部３８から離れると同時に、階段部３５の上に乗っていた撮影レンズ２が背後から引っ掛け爪４０によって押し出され、撮影レンズ２は鏡筒部１５から脱落する。前カバー１４の取り外しが製造元と異なるフイルム詰め替え業者によって行われた場合、脱落した撮影レンズ２を元に戻す必要が生じ、写真フイルムの詰め替え作業に本来必要のない工程が増えることになる。また、製造元と異なる業者は、脚部３６を階段部３５のどの段面に係合させるかを知らないため、適正な撮影性能が得られる段面を調べる必要が生じることになる。
【００２４】
このように、鏡筒部１５内の階段部３５を介して撮影レンズ２を位置決めし、撮影レンズ２を前カバー１４によって押さえているので、前カバー１４を取り外すと、そのときの振動で撮影レンズ２が階段部３５から外れたり、引っ掛け爪４０によって鏡筒部１５から脱落する。これにより、フイルム詰め替え品の製造工程中に撮影レンズ２の付け直す手間を課すことができ、フイルム詰め替え製品の製造時の負担を増やして製造能率を低下させることができる。
【００２５】
なお、本発明のレンズ付きフイルムユニットは上記実施形態に限られるものではなく、製品の種類ごとに段差の数や形状を変え、フイルム詰め替え作業をさらに煩雑にすることもできる。また、上記実施形態では、階段部の同じ高さの段面に突起を係合させているが、これに限られず、突起の高さを階段部の段差単位で異なる高さに形成し、各突起を高さの異なる段面に係合させるようにしてもよい。また、鏡筒部の内壁面上から突出した階段部を形成することに限られず、鏡筒部の内壁面に対して窪んだ階段部を設けてもよい。あるいは、階段部を撮影レンズに設け、階段部に係合する突起を鏡筒部に設けてもよい。
【００２６】
また、レンズ付きフイルムユニットでは、ピント調節の不要な固定焦点式の撮影レンズが用いられるが、各段差を例えば０．１ｍｍ程度の大きさにすることで、撮影レンズや鏡筒部の成形精度などに起因するピントズレを製造時に修正することもできる。Ｆ値を小さくして撮影レンズの明るさを向上させるには高度なピント精度が求められるので、この階段部を利用したピント修正が有効になる。
【００２７】
【発明の効果】
以上のように、本発明のレンズ付きフイルムユニットによれば、鏡筒部もしくは撮影レンズのいずれか一方に設けた階段部と、他方に設けた突起部とによって撮影レンズを光軸方向に位置決めし、撮影レンズの前面を前カバーによって押さえるようにしたので、前カバーの取り外しを伴うフイルム詰め替え作業において、撮影レンズを脱落させるとともに、脱落したレンズを再度組み付ける際に撮影レンズの組み込み位置がわからなくなる。すなわち、撮影レンズを取り付け直す手間を増やして作業能率を悪化させ、フイルム詰め替え品の製造、流通を抑制することができる。
【図面の簡単な説明】
【図１】レンズ付きフイルムユニットの外観斜視図である。
【図２】レンズ付きフイルムユニットの分解斜視図である。
【図３】鏡筒部の斜視図である。
【図４】階段部の拡大図である。
【図５】鏡筒部の断面図である。
【符号の説明】
１  レンズ付きフイルムユニット
２  撮影レンズ
１０  ユニット本体
１１  写真フイルム
１２  裏蓋
１４  前カバー
１５  鏡筒部
２６  レンズ開口
３５  階段部
３６  脚部
３９  レンズ押さえ
４０  引っ掛け爪
４１  切欠き
【図１】
2004184849.tif 000003
【図２】
2004184849.tif 000004
【図３】
2004184849.tif 000005
【図４】
2004184849.tif 000006
【図５】
2004184849.tif 000007